(57)【特許請求の範囲】
【請求項１】
器具本体にコンセントを有する電気スタンドであって、前記器具本体の使用者に向き合わない部分に前記コンセントを配置し、
前記器具本体は電源線から点灯回路と前記コンセントへ電源を分岐させるための接続器を内部側面に取付け、前記接続器のケースは前記内部側面に取付ける取付面とリード線導入面を有しかつ前記リード線導入面が前記取付面に向かう方向に傾斜したものであり、かつ前記内部側面に対して前記リード線導入面が略直角をなすように前記内部側面に前記取付面が当接する傾斜部を設けたコンセント付電気スタンド。
【請求項２】
前記器具本体の背面にコンセントを配置した請求項１記載のコンセント付電気スタンド。
【請求項３】
前記器具本体の側面にコンセントを配置した請求項１記載のコンセント付電気スタンド。
【請求項４】
前記器具本体の底面にコンセントを配置した請求項１記載のコンセント付電気スタンド。
【請求項５】
前記コンセントは電源線導入部と同一面に配置された請求項１記載のコンセント付電気スタンド。
【請求項６】
前記器具本体は電源線から点灯回路とコンセントへ電源を分岐させるための接続器を内部側面に取付け、前記接続器のケースは前記内部側面に取付ける取付面とリード線導入面を有しかつ前記リード線導入面が前記取付面に向かう方向に傾斜したものであり、かつ前記内部側面に対して前記リード線導入面が略直角をなすように前記内部側面に前記取付面が当接する傾斜部を設けた請求項５記載のコンセント付電気スタンド。
【発明の詳細な説明】
【０００１】
【発明の属する技術分野】
本発明は、コンセントを有するコンセント付電気スタンドに関するものである。
【０００２】
【従来の技術】
従来のコンセント付電気スタンドは、点灯回路および点灯用スイッチを収納する器具本体部と、コンセントを収納する万力取付用基部の２部品を有し、コンセントは器具前面側に設けていた（例えば特願2000−337478参照）。
【０００３】
【発明が解決しようとする課題】
しかし、この従来のコンセント付電気スタンドは、器具本体とコンセント収納部が２つに分かれているため、器具サイズが大きくなる。同じ理由により、器具内配線を器具本体部と万力取付用基部の間の隔壁を通過させる方法で結線しなければならないため、器具組立作業が困難になる。
【０００４】
また器具前面側にコンセントを有する故に、器具背面より器具本体に導入される電源線と、器具本体前面からコンセントに接続される負荷機器の電源線が相対する方向（器具に対して前後方向）に配置されてしまい、電源コード類が机上面での作業の邪魔となるといった問題があった。
【０００５】
したがって、この発明の目的は、小型化でき、組み立て作業が容易になり、電源コード類が机上面での作業の邪魔にならないコンセント付電気スタンドを提供することである。
【０００６】
【課題を解決するための手段】
請求項１記載のコンセント付電気スタンドは、器具本体にコンセントを有する電気スタンドであって、前記器具本体の使用者に向き合わない部分に前記コンセントを配置し、
前記器具本体は電源線から点灯回路と前記コンセントへ電源を分岐させるための接続器を内部側面に取付け、前記接続器のケースは前記内部側面に取付ける取付面とリード線導入面を有しかつ前記リード線導入面が前記取付面に向かう方向に傾斜したものであり、かつ前記内部側面に対して前記リード線導入面が略直角をなすように前記内部側面に前記取付面が当接する傾斜部を設けたものである。
【０００７】
請求項１記載のコンセント付電気スタンドによれば、コンセントを器具本体に配置することで、器具サイズをコンパクトにすることができる。従来例のような、隔壁を貫通しての配線作業が不要となり、組立作業が容易となる。また点灯回路、点灯用スイッチ、コンセントを器具本体部に、まとめて配置すると、器具組立作業がさらに容易となる。また使用者が頻繁に操作する部位である例えばスイッチ取付面、器具形態上デザイン的に正面となる、または器具の実使用状態で使用者に対して正対する部位を除く面の器具本体にコンセントを配置するため、器具使用時にコンセントに接続された電線が使用者に対し邪魔にならない。また狭小な本体内部であっても電源線により不要なストレスを掛けること無く部品を配置することができる。
【０００８】
請求項２記載のコンセント付電気スタンドは、請求項１において、前記器具本体の背面にコンセントを配置したものである。
【０００９】
請求項２記載のコンセント付電気スタンドによれば、請求項１と同様な効果がある。
【００１０】
請求項３記載のコンセント付電気スタンドは、請求項１において、前記器具本体の側面にコンセントを配置したものである。
【００１１】
請求項３記載のコンセント付電気スタンドによれば、請求項１と同様な効果がある。
【００１２】
請求項４記載のコンセント付電気スタンドは、請求項１において、前記器具本体の底面にコンセントを配置したものである。
【００１３】
請求項４記載のコンセント付電気スタンドによれば、請求項１と同様な効果がある。
【００１４】
請求項５記載のコンセント付電気スタンドは、請求項１において、前記コンセントが電源線導入部と同一な面部に配置されたものである。
【００１５】
請求項５記載のコンセント付電気スタンドによれば、請求項１と同様な効果のほか、器具使用時にコンセントに接続されたとき、器具に導入される電線が使用者に対し邪魔にならない。
【００１８】
【発明の実施の形態】
この発明の一実施の形態を図１から図６により説明する。すなわち、このコンセント付電気スタンドは、器具本体１と、支柱２と、灯具３を有する。
【００１９】
支柱２は器具本体１の上端部に設けた垂直回動自在な自在器４を介して下端部が取付けられ、灯具３は支柱２の上端部に垂直回動および水平回動自在な構成をもつ自在器５を介して一端が取付けられている。
【００２０】
器具本体１はコンセント６を有し、器具本体１の使用者に向き合わない部分に配置している。実施の形態では、器具本体１の背面（器具正面に対しその反対面）１ａにコンセント６を配置し、かつ、電源線導入部７と同一面に配置している。
【００２１】
図３から図５は器具本体の詳細を示している。器具本体１にはコンセント６と、点灯スイッチ１８と、点灯回路の回路基板２９と、接続器３０が配設されている。器具本体１は本体部８と前カバー部９と座部１０を有する。本体部８は横（幅）方向に略半分に分割される半体のみを示しているが、他の半体はこれと略対称に形成されている。本体部８は上面部１２、背面部１３、両側面部１４および前面部１５を有し、前面部１５は上向きに傾斜し、底面部１６は開口となっている。上面部１２には自在器４の一部が一体に形成され、その根元側で一方の半体に一対のねじ孔１７を形成し、他方の半体に一対の連結孔を形成し、連結孔を通してねじ（図示せず）で連結する。また上面部１２の前側に点灯スイッチ１８を取付ける穴部１９を形成している。穴部１９の裏側には半体の開口に向けて上面部１２を貫通する収納部３７を形成し、一対の半体を相合わせることにより点灯スイッチ１８を保持する。
【００２２】
背面部１３の底面側に電源コードを導入する導入部７を切欠きにより形成するとともに上部にコンセント６の差し込み口を露出する開口２０を形成し背面部１３の近傍の一側面部に取付部例えばねじ止め用ボス２１と位置決め用ボス２２を設け、他側部にコンセント取付板係止部（図示せず）を設けている。コンセント６はコンセント取付板例えば取付金具２４を有し、その一側部にねじ通孔２５および位置決め孔２６を形成し、位置決め孔２６を位置決め用ボス２２に嵌合しねじ通孔２５をねじ止め用ボス２１に合わせてねじ３９によりねじ止めし、つぎに他の半体の係止部を取付金具２４の縁部に係止することにより、取付金具２４を本体部８に取付けている。また背面部１３および前面部１５の内側に回路基板２９の取付部２８を設け、ねじ（図示せず）により回路基板２９を底面部１６に平行に取付けている。図５に示す分解斜視図は、コンセント取付金具２４の本体部８への取付方法を示している。上述のようにコンセント取付金具２４の片側をねじ止め用ボス２１、もう片方をコンセント取付金具位置決め用ボス２２により本体内部へ固定している。これは、本体内部が狭小なスペースとなるため、点灯回路の回路基板２９とコンセント取付金具２４の間に固定用ねじ３９のねじ頭が存在することでの絶縁距離の不足を考慮したものであり、本実施の形態以外においても狭小スペース内への部品固定における有効な手段である。
【００２３】
電源線から点灯回路の回路基板２９とコンセント６へ電源を分岐させるための接続器３０は一対有し、それぞれ例えば速結端子により構成している。接続器３０のケースは取付面３３とリード線導入面３４を有しかつリード線導入面３４が取付面３３に向かう方向に傾斜しており、これによりリード線の押し込みを容易にしている。一対の接続器３０を本体部８内に並べて取付けるため、側面部１４の内面に仕切り板４０および両側板４１を立設し、これらの間に各接続器３０を収納する。仕切り板４０の両端部に固定部４２、４３を例えば両端部を略Ｔ字形に形成することにより形成し、両側板４１の一端部に固定部４４を例えばかぎ状に形成することにより形成している。これにより接続器３０の仕切り板４０に沿った方向の抜止めとしている。また仕切り板４０および両側板４１の中間部にそれぞれ一対のスリット４５を形成し、両側板４１のスリット４５間に弾性の例えば略フック状の係止爪４６を設け、仕切り板４０のスリット４５間に弾性の例えば略Ｔ字状の係止爪４７を設けている。これにより側面部１４から離れる方向の外れ止めとしている。取付面３３を本体部８の側面部１４の内部側面に配置し、かつ内部側面に対してリード線導入面３４が略直角をなすように仕切り板４０と両側板４１間の内部側面に取付面３３が当接する傾斜部３６をリブにより設けている。
【００２４】
図４には接続器３０と本体部８の位置関係を示しているが、接続器３０の形状に合わせ、リブ形成の傾斜部３６を用いて、接続器３０へのリード線導入面３４を器具側面部１４に対して略垂直に配置させることで、器具組立時における接続器３０へのリード線７０による張力を緩和させる事が可能となり、器具組立を容易にし、ストレスフリーの状態で、接続器３０を本体内部へ配置することができる。
【００２５】
本体部８の前面部１５には上下に引掛受け例えば引掛孔５０を形成し、前面部１５の内側で一方の半体に他方の半体に向けてねじ孔５１を形成し、他方の半体にねじ孔５１に整合する連結孔（図示せず）を形成し、ねじ（図示せず）により連結する。両側面部１４には底面部１６に近い位置にそれぞれ座部取付部５７を有するとともに底面部１６の縁部に位置決め部５８を例えば突起により形成している。したがって、座部１０を取付けることにより本体部８の一対の半体が一体に組み合わされる。
【００２６】
前カバー部９は横断面略円弧形状であり、引掛孔５０に引っ掛かる引掛部例えば引掛突起５２を上向きで設け、前カバー部９を前面部１５にスライドして係止している。この前カバー部９は連結孔およびねじを被覆し、一対の半体の前側部分を抱持するもので、中央に縦溝５４を形成しており、下部が座部１０に当たることにより抜止めしている。
【００２７】
座部１０は、座部取付部５７を通す開口を有し、位置決め部５８を嵌合する位置決め孔５９を有する。座部１０は下面に凹部６０を有し、器具本体の安定のための重りを兼ねた安定板６１を配置し、安定板６１の取付部５７に対応して挿通孔６２を形成し、挿通孔６２を通してねじ６３を取付部５７に締付けて取付ける。
【００２８】
この実施の形態によれば、器具本体１の電源線導入面と、コンセント配置面を同一とすることにより、机上面で電源コード類７１が邪魔にならない。またコンセント６を上述のように取付けることにより、狭小な本体内部へ効率的に部品を配置することができ、器具そのものをコンパクトに設計できる。
【００２９】
電源線から点灯回路の回路基板２９とコンセント６へ電源を分岐させるための接続器３０を器具本体１の内部側面に略係止爪４６、４７を利用して配置し、接続器３０の本体の傾斜した取付面３３に対応した傾斜部３６を用い、接続器３０へのリード線導入面３４を器具本体側面部１４に対して略垂直面に配置させることにより、取付容易になるとともに、狭小な本体内部へ不要なストレスを掛けること無く部品を配置できる。
【００３０】
図７は、他の実施の形態を示す。図７（ａ）、（ｂ）は、第１の実施の形態において、器具本体１の側面（器具正面に対しその側面）１ｂにコンセント６および電源線導入部７を配置している。
【００３１】
図７（ｃ）は第１の実施の形態において、器具本体１の底面（机上面に接する面すなわち裏面）１ｃにコンセント６および電源線導入部７を配置している。実施の形態では、器具本体１の底面に凹部７３を設け、その内面にコンセント６および電源線導入部７を配置している。これにより、机上面に電線導出部を有する机の、電線導出部上に器具を配置することができ、コンセント６が器具裏面に配置されているため、机上面へ電線類が露出すること無く机上面のスペースを有効に活用することができるものである。なお、内部部品は回路基板２９、接続器３０、スイッチ１８で上記実施の形態と同様であるが、配置が上記実施の形態と若干異なる。
【００３２】
なお、上記に示す実施の形態は、点灯スイッチ１８、接続器３０、コンセント６を点灯回路の上部へ配置しているが、これに限定するものではなく、器具の形態により自由にこの配置を変えることで様々な器具形態に対応できる。また電源線導入部７とコンセント取付面が一致しているが、必ずしも一致している必要はない。また、コンセント６と電源線導入部７が上下の関係で描かれているが、コンセントと電源導入部が上下反対、または左右並列などでもよく、位置関係を限定するものではない。
【００３３】
【発明の効果】
請求項１記載のコンセント付電気スタンドによれば、コンセントを器具本体に配置することで、器具サイズをコンパクトにすることができる。従来例のような、隔壁を貫通しての配線作業が不要となり、組立作業が容易となる。また点灯回路、点灯用スイッチ、コンセントを器具本体部に、まとめて配置すると、器具組立作業がさらに容易となる。また使用者が頻繁に操作する部位である例えばスイッチ取付面、器具形態上デザイン的に正面となる、または器具の実使用状態で使用者に対して正対する部位を除く面の器具本体にコンセントを配置するため、器具使用時にコンセントに接続された電線が使用者に対し邪魔にならない。また狭小な本体内部であっても電源線により不要なストレスを掛けること無く部品を配置することができる。
【００３４】
請求項２記載のコンセント付電気スタンドによれば、請求項１と同様な効果がある。
【００３５】
請求項３記載のコンセント付電気スタンドによれば、請求項１と同様な効果がある。
【００３６】
請求項４記載のコンセント付電気スタンドによれば、請求項１と同様な効果がある。
【００３７】
請求項５記載のコンセント付電気スタンドによれば、請求項１と同様な効果のほか、器具使用時にコンセントに接続されたとき、器具に導入される電線が使用者に対し邪魔にならない。
【図面の簡単な説明】
【図１】この発明の一実施の形態の背面側からみた斜視図である。
【図２】正面側からみた斜視図である。
【図３】本体部の半体の側面図である。
【図４】その一部切欠き斜視図である。
【図５】その分解斜視図である。
【図６】接続器の取付状態の側面図である。
【図７】（ａ）から（ｃ）はそれぞれ別の実施の形態の斜視図である。
【符号の説明】
１    器具本体
２    支柱
３    灯具
６    コンセント
７    電線導入部
３０    接続器
３３    取付面
３４    リード線導入面
３６    傾斜部
【図１】
0004126927.tif 000002
【図２】
0004126927.tif 000003
【図３】
0004126927.tif 000004
【図４】
0004126927.tif 000005
【図５】
0004126927.tif 000006
【図６】
0004126927.tif 000007
【図７】
0004126927.tif 000008